(57)【要約】  喫煙品用のパケット（１）およびこのパケット（１）を作製するためのブランクセット（ＢＲ、ＢＬ、ＰＢ）を開示する。パケット（１）は、前面パネル（ＨＡ）、背面パネル（ＨＢ）、および第１および第２の互いに対向する側部パネル（ＨＤ、ＨＥ）を含む容器（１１）を含む。またパケット（１）は、第１蓋部（３）および第２蓋部（５）を含む。第１蓋部（３）は、第１のヒンジによって第１側部パネル（ＨＤ）に取り付けられ、第２蓋部（５）は、第２のヒンジによって第１側部パネル（ＨＤ）または第２側部パネル（ＨＥ）に取り付けられている。第１ヒンジの軸と第２ヒンジの軸は、互いに平行である。第１蓋部（３）が閉じているとき、背面パネル（ＨＢ）と少なくとも第２側部パネル（ＨＥ）の一部は、第１蓋部（３）内に位置する。第２蓋部（５）が閉じているとき、前面パネル（ＨＡ）および第２ヒンジに対向する側部パネル（ＨＤ；ＨＥ）の少なくとも一部は、第２蓋部（５）内に位置する。
2010534595.tif 000002
【特許請求の範囲】
【請求項１】
前面パネルと、背面パネルと、第１および第２の互いに対向する側部パネルとを含む容器と、
第１および第２蓋部とを含み、第１蓋部が第１のヒンジによって第１側部パネルに取り付けられ、第２蓋部が第２のヒンジによって第１側部パネルまたは第２側部パネルに取り付けられ、第１ヒンジの軸と第２ヒンジの軸が互いに平行であり、
第１蓋部を閉じた際に背面パネルおよび第２側部パネルの少なくとも一部が第１蓋部内に収まり、第２蓋部が閉じられた際に前面パネルと第２ヒンジに対向した側部パネルの少なくとも一部が第２蓋部内に収まる喫煙品用パケット。
【請求項２】
第１および第２蓋部が、それぞれ頂端部パネルを有し、第１および第２蓋部が閉じているときにこれら頂端部パネルが共に容器の頂端部を完全に覆うことを特徴とする請求項１記載のパケット。
【請求項３】
第１および第２蓋部の頂端部パネルが、第１および第２蓋部を閉じて容器の頂端部を覆う際に互いに当接する封止縁部を有することを特徴とする請求項２記載のパケット。
【請求項４】
第１および第２蓋部の頂端部パネルが、閉じた際に少なくとも部分的に重なることを特徴とする請求項２記載のパケット。
【請求項５】
第１および第２蓋部が、それぞれ底端部パネルを有し、第１および第２蓋部が閉じているときにこれら底端部パネルが共に容器の底端部を完全に覆うことを特徴とする請求項１乃至４いずれか１項記載のパケット。
【請求項６】
第１および第２蓋部の底端部パネルが、第１および第２蓋部を閉じて容器の底端部を覆う際に互いに当接する封止縁部を有することを特徴とする請求項５記載のパケット。
【請求項７】
第１および第２蓋部の底端部パネルが、閉じた際に少なくとも部分的に重なることを特徴とする請求項５記載のパケット。
【請求項８】
第２蓋部が第２ヒンジによって第２側部パネルに取り付けられ、第１および第２蓋部の両方が回転して、それぞれのヒンジを中心に同じ方向に開くことを特徴とする請求項１乃至７いずれか１項記載のパケット。
【請求項９】
第２蓋部が第２ヒンジによって第２側部パネルに取り付けられ、第１および第２蓋部の両方が回転して、それぞれのヒンジを中心に反対の方向に開くことを特徴とする請求項１乃至７いずれか１項記載のパケット。
【請求項１０】
容器の頂部に開口部が設けられていることを特徴とする請求項２乃至９いずれか１項記載のパケット。
【請求項１１】
前記開口部が前面パネルおよび／または背面パネルに凹部を含むことを特徴とする請求項１０記載のパケット。
【請求項１２】
容器の内側に触れることができるように開口部分を容器が含むことを特徴とする請求項１乃至１１いずれか１項記載のパケット。
【請求項１３】
前記開口部分がミシン目によって形成されていることを特徴とする請求項１２記載のパケット。
【請求項１４】
前記開口部分がヒンジによって容器の側縁部に取り付けられていることを特徴とする請求項１２または１３記載のパケット。
【請求項１５】
前記開口部分が完全に取り外すことが可能であることを特徴とする請求項１２または１３記載のパケット。
【請求項１６】
開口部分が前面パネルおよび背面パネルのそれぞれに設けられていることを特徴とする請求項１２乃至１５いずれか１項記載のパケット。
【請求項１７】
前記開口部分が容器の頂端部で頂端部パネル上に延び、および／または容器の底端部で底端部パネル上に延びていることを特徴とする請求項１６記載のパケット。
【請求項１８】
仕切り壁によって容器が少なくとも２つのコンパートメントに分けられていることを特徴とする請求項１乃至１７いずれか１項記載のパケット。
【請求項１９】
第１の蓋部が、閉じているときに前記２つのコンパートメントの内の１つを覆い、第２蓋部が、閉じているときにもう一方のコンパートメントを覆うことを特徴とする請求項１８記載のパケット。
【請求項２０】
請求項１乃至１９いずれか１項記載のパケットを形成するためのブランクを１つ以上含むブランクセット。
【請求項２１】
２つのブランクを含み、第１のブランクが背面パネルと第１蓋部を含み、第２のブランクが前面パネルと第２蓋部を含むことを特徴とする請求項２０記載のブランクセット。
【請求項２２】
各側部パネルが、パケットが組み立てられたときに第１および第２ブランクが重なる部分を含むことを特徴とする請求項２０または２１記載のブランクセット。
【請求項２３】
図６、７および８を参照して本明細書で説明したブランクセット。
【発明の詳細な説明】
【技術分野】
【０００１】
本発明は、紙巻きタバコ、葉巻およびシガリロなどの喫煙品用の箱に関する。特に本発明は、パケットおよびこのパケットを作製するためのブランクに関する。
【背景技術】
【０００２】
従来の紙巻きタバコパケットは、標準の直方体であり、その各面は、矩形である。パケットの断面は、パケットの前面および背面を形成する部分において広く、パケットの側面を形成する部分において比較的薄い。このようなパケットの一例として２０本の紙巻きタバコ入りのものがある。紙巻きタバコは、パック内に３列に配置される場合がよくあり、７本の紙巻きタバコがパケットの前方に、７本の紙巻きタバコがパケットの後方にそれぞれ配置され、残りの６本が７本の紙巻きタバコの２つの列の間に挟まれて配置される。これら６本の紙巻きタバコは、それぞれ２つの紙巻きタバコ列が接触する際に生じる隙間に位置する。通常このようなパケットの側面は、これに収容される紙巻きタバコの直径の２．５倍乃至３倍の大きさのものを収容するのに充分な広さを有する。このようなパケットの前面および背面は、これに収容される紙巻きタバコの直径の７倍の大きさのものを収容するのに充分な幅を有する。
【０００３】
パケットの後壁に取り付けられた１つのヒンジ式の蓋が、パケットを閉じる手段として従来から使用されている。このパケットの断面領域は、ヒンジ式の蓋を用いてパケットを開閉できるものになっている。しかしながら、この種の蓋は、パケットの寸法が変更になると適さない場合がある。
【発明の概要】
【０００４】
本発明は、喫煙品用のパケットに関し、このパケットは、前面パネル、背面パネルおよび対向する第１および第２の側部パネルとを含む容器と、第１蓋部および第２蓋部とを含み、第１蓋部は、第１のヒンジによって第１側部パネルに取り付けられ、第２蓋部は、第２のヒンジによって第１側部パネルまたは第２側部パネルに取り付けられ、第１ヒンジの軸と第２ヒンジの軸は互いに平行である。第１蓋部が閉じられると、背面パネルおよび少なくとも第２側部パネルの一部が第１蓋部内に収まり、第２蓋部が閉じられると、前面パネルと第２ヒンジに対向する側部パネルの少なくとも一部が第２蓋部内に収まる。
【０００５】
第１および第２蓋部は、それぞれ頂端部パネルを有し、これらは共に第１および第２蓋部が閉じられた際に容器の頂端部を完全に覆う。これらの頂端部パネルは、第１および第２蓋部を閉じた際に互いに当接する閉鎖縁部を含み、容器の頂端部を覆う。これとは別に第１および第２蓋部の頂端部パネルは、閉じた際に少なくとも部分的に重なり合うようにしてもよい。
【０００６】
第１および第２蓋部は、それぞれ底端部パネルを有し、これらは共に第１および第２蓋部が閉じられた際に容器の底端部を完全に覆う。これらの底端部パネルは、第１および第２蓋部を閉じた際に互いに当接する閉鎖縁部を含み、容器の底端部を覆う。これとは別に第１および第２蓋部の底端部パネルは、閉じた際に少なくとも部分的に重なり合うようにしてもよい。当接または重なり合う縁部は、パケットの両端を閉じ、これにより容器内に内容物を保持する。
【０００７】
第２蓋部は、第２ヒンジによって第２側部パネルに取り付けられてもよく、第１および第２蓋部の両方は、回転し、各ヒンジを中心に同じ方向に開く。これとは別に第２蓋部は、第２ヒンジによって第１側パネルに取り付けられてもよく、第１および第２蓋部の両方は、回転し、各ヒンジを中心に反対の方向に開く。
【０００８】
開口部が容器に設けられ、これにより内容物を取り出すことができる。この開口部は、容器の頂端部に設けてもよい。この開口部は、さらに前面および／または背面パネルに凹部を含んでもよい。この凹部は、開口部を延び、これにより容器の端部に開口部だけが設けられている場合より、消費者は内容物を大幅に取りやすくなる。この凹部は、実質的にＵ字形状であり、パケットの前面および背面の全幅に亘って内容物を取り出すことができる。
【０００９】
これとは別に容器は、容器の内部に触れることができるように開口部分を含んでもよい。この開口部分は、ミシン目によって形成されている。ユーザーは、容器を開けるためにこのミシン目に沿って開口部分を破くことができる。この開口部分は、ヒンジによって容器の一側縁部に取り付けてもよい。この側縁部は、ヒンジ線を形成し、これを中心に開口部分が回転して、開口部を開閉する。これとは別に開口部分は、完全に取り外しできるようにしてもよい。
【００１０】
開口部分は、前面パネルおよび背面パネルのそれぞれに設けてもよい。開口部分は、容器の頂端部で頂端部パネル上に延びてもよく、および／または容器の底端部で底端部パネル上に延びてもよい。前面および背面パネルの頂部から底部へと延び、かつ、底端部上に延びた開口部分を取り除くまたは開口することによって供される開口部は、例えば紙巻きタバコなどの内容物の全長（および一端）を露出させる。この態様では紙巻きタバコは、その露出した端部を中心に傾け、紙巻きタバコを開口部から持ち上げることによって取り出される。これとは別に紙巻きタバコの露出した長さに沿って任意の箇所を指ではさみ、持ち上げることによって取り出すこともできる。
【００１１】
パケットは、これを少なくとも２つのコンパートメントに分ける仕切り壁を含んでもよい。各コンパートメントは、１つの蓋を開けた際にそのコンパートメントの内容物だけが取り出せるような大きさであればよい。従って両方の蓋は、両方のコンパートメントの内容物を取り出すために開くようにしてもよい。第１の蓋は、閉じているときには２つのコンパートメントの１つを覆い、第２の蓋は、閉じているときもう一方のコンパートメントを覆う。
【００１２】
本発明の別の観点は、当該パケットを形成するための１つ以上のブランクを含むブランクセットに関する。例えばこのブランクセットは、２つのブランクを含み、第１ブランクは、背面パネルと第１蓋部を含み、第２ブランクは、前面パネルと第２蓋部を含む。パケットは、これら２つのブランクを組み合わせることによって形成され、パケットの各側部パネルは、パケットが形成された際に第１および第２ブランクの重なり部を含む。
【００１３】
本発明のいくつかの態様を添付の図面を参照し、例示を目的として以下に具体的に説明する。
【図面の簡単な説明】
【００１４】
【図１】本発明の態様による閉じた状態のパケットの斜視図である。
【図２】１つの蓋が開いた状態の本発明の第１態様によるパケットの斜視図である。
【図３】２つの蓋が開いた状態の図２のパケットの斜視図である。
【図４】２つの蓋が開いた状態の開口部分を含む本発明の第２の態様によるパケットの斜視図である。
【図５】１つの蓋が開いた状態の開口部分が取り除かれた図４のパケットの斜視図である。
【図６】図２および３のパケットを製造するためのブランクセットを示す略図である。
【図７】図４および５のパケットを製造するためのブランクセットを示す略図である。
【図８】図６のブランクセットから部分的に組み立てられたパケットの斜視図である。
【００１５】
本発明は、種々の変更および変形例が可能であるが、特定の態様を添付図面を参照し、例示を目的として詳述する。しかしながら当然のことながら、図面および説明は、ここに開示する特定の形態に本発明を限定するものではなく、逆に本発明は、特許請求の範囲内において全ての変更、同等物および変形例を網羅するものである。
【発明を実施するための形態】
【００１６】
図１〜８において実線は、縁部または切断部を示し、一点鎖線または破線は、パケットを開閉するために蓋が回転する際の中心となるヒンジ線を示す。また一点鎖線または破線は、パケットを形成するためにブランクを折り曲げる際の折り曲げ線を示す。
【００１７】
図１は、本発明の１つの態様によるパケット１の斜視図を示す。パケット１は、２つの蓋部３、５と容器（図１では見えない）とを有する。図１に示すようにパケット１が閉じているとき、容器は２つの蓋部３、５の内側に位置する。
【００１８】
パケット１は、前面と、背面と、２つの対向する側面と、頂面と、底面とを含む直方体形状である。パケット１の前面と背面は、閉じているときには２つの蓋部に対応するパネル３Ａ、５Ａが前面と背面になる。
【００１９】
図２は、本発明の１つの態様によるパケット１が開いた状態を示す斜視図である。図１および２に示すように、各蓋部は主パネル３Ａ、５Ａと、頂端部パネル３Ｂ、５Ｂと、底端部パネル３Ｃ、５Ｃと、２つの対向する側部パネル３Ｄ、３Ｅおよび５Ｄ、５Ｅをそれぞれ含む。
【００２０】
各蓋部３、５の頂端部パネル３Ｂ、５Ｂは、容器１１の頂端部を覆うために互いに当接する閉鎖縁部を有する。同様に各蓋部３、５の底端部パネル３Ｃ、５Ｃは、容器の底端部を覆うために互いに当接する閉鎖縁部を有する。両方の蓋部が閉じているとき、頂端部パネル３Ｂ、５Ｂおよび底端部パネル３Ｃ、５Ｃは、パケット１の頂面と底面を構成する。
【００２１】
図３は、蓋部３、５が両方とも開いた状態の図２のパケットの斜視図である。容器１１は、前面パネル１１Ａと、背面パネル１１Ｂと、２つの対向する側部パネル１１Ｄ、１１Ｅと、開口した頂端部と、閉じた底部と（この図からは見えない）を含む。また容器１１は、容器を２つの別個のコンパートメントに分ける仕切り壁１１Ｐを含む。例示した好ましい態様では仕切り壁１１Ｐは、容器１１の前面パネルおよび背面パネル１１Ａ、１１Ｂと同じ大きさであり、これにより容器１１は、前方コンパートメントと後方コンパートメントに分けられる。仕切り壁１１Ｐは、取り外し自在であっても、固定されてもよい。
【００２２】
蓋部３、５は両方ともヒンジ３Ｈ（この図からは見えない）、５Ｈによって容器１１の対向する側部パネル１１Ｄ、１１Ｅに取り付けられている。第１ヒンジ３Ｈの軸と第２ヒンジ５Ｈの軸は、互いに平行である。この構成では蓋部３、５は両方とも例えばパケットを開く際に上から見て反時計方向に、そしてパケットを閉じる際に上から見て時計方向Ａ１、Ａ２というように同じ方向に回転する。蓋部３が回転して前方コンパートメントを開閉し、もう一方の蓋部５は、回転して後方コンパートメントを開閉する。
【００２３】
図示した例では各蓋３、５が回転する際の中心となるヒンジ線３Ｈ、５Ｈは、パケット１の側縁部からオフセットしている。図示した例ではヒンジ線３Ｈ、５Ｈは、パケット１の幅の約１／４程度、側縁部からオフセットしている。従って閉じた状態のパケット１の対向する側部は、容器１１の側部パネル１１Ｄ、１１Ｅと、容器１１の各側部パネル１１Ｄ、１１Ｅにヒンジ３Ｈ、５Ｈによって取り付けられた各蓋部３、５の側部パネル３Ｄ、５Ｄを含む。
【００２４】
図２および３に示した例では容器１１の頂端部は、完全に開口している。この開口部は、前面パネル１１Ａと背面パネル１１Ｂ上に延び、例えば紙巻きタバコなどの内容物を取り出しやすくしている。前面パネル１１Ａと背面パネル１１Ｂの開口部は、実質的にＵ字状の凹部１３である。この開口部が前面パネル１１Ａと背面パネル１１Ｂ上に延びていることによって紙巻きタバコの端部および少なくともその長さの一部が露出する。このような開口部を設けることによって開口部がパケット１の端部のみに限定されている場合に較べて、内容物を掴みやすくなり、より簡単に取り出すことができる。
【００２５】
図４には別の態様の斜視図を示し、この態様ではパケット１の容器１１は、その頂部に設けられた上述の開口部の代わりに頂端部パネル１１Ｆを含む。
【００２６】
図４に図示した例では開口部分１５が容器１１の前面１１Ａと背面１１Ｂに設けられており、これを取り除くことによって容器１１の内容物を取り出すことができる。開口部分１５は、容器１１の前面１１Ａと背面１１Ｂのミシン目によって形成されている。
【００２７】
容器１１の前面パネル１１Ａと背面パネル１１Ｂ上で開口部分１５は、容器１１の一側縁部から対向する側縁部へと、そして容器１１の頂縁部から底縁部へと延びている。開口部分１５は、一端で容器１１の頂端部パネル１１Ｆへと、そして他端部で底端部パネル１１Ｃへと延びている。
【００２８】
いくつかの態様では開口部分１５を容器１１から完全に取り除いてこの開口部分に対応する形状の開口部としてもよい。これとは別に開口部分１５を部分的に例えば開口部分１５の前面パネル１５Ａを取り除けるようにし、容器１１の側面パネル１１Ｄをそのままにして、ヒンジとし、これを中心に開口部分１５が回転するようにしてもよい。この例では開口部分１５は、これが開口した際に形成される開口部を介して例えば紙巻きタバコを取り出した後に閉じられるヒンジ式のカバーとなる。
【００２９】
図４に例示した態様では、開口部分１５（およびこれから得られる開口部）は、容器１１の頂端部１１Ｆと底端部１１ＣでＵ字状の凹部を形成する。開口部分１５の端部パネル１５Ｂ、１５Ｃ（図４で見えていない）は、それぞれ開口部を覆う蓋部が取り付けられている側部パネルに対向する側部パネルに向かって延びている。例えば前面パネル１１Ａから頂部パネル１１Ｆへと延びた開口部分１５の一部を第１蓋部３が取り付けられている対向側部パネル１１Ｅである側部パネル１１Ｄの方に位置させる。
【００３０】
図示した例では開口部分１５の主パネル１５Ａは、開口部分１５を開口または取り除いたときに前面パネル１１Ａと背面パネル１１Ｂの主要部が取り除かれるような輪郭形状を有する。この輪郭形状によって開口部分１５を取り除くまたは開口する際に容器１１の前面パネル１１Ａと背面パネル１１Ｂが確実に容器に接合した状態で保持される。
【００３１】
図５は１つの蓋部３が開いており、開口部分１５を取り除いたことによって提供された開口部を示す図４の態様の斜視図である。この開口部によってパケット１に収容されている紙巻きタバコの全体を消費者は触れることができる。従ってパケット１から紙巻きタバコを取り出す場合、この開口部によって消費者は、紙巻きタバコの長さに沿ってどこでも掴むことができ、指で紙巻きタバコの両端をつまむことができる。
【００３２】
仕切り壁１１Ｐは、この例でも含まれる。仕切り壁１１Ｐは、容器１１の前面パネル１１Ａと背面パネル１１Ｂとほぼ同じ大きさであり、容器１１を前方コンパートメントと後方コンパートメントに分ける。
【００３３】
図１から５を参照して説明した態様において、パケット１は２０本の紙巻きタバコを収容するのに適している。パケット１の断面形状および寸法は、２０本の紙巻きタバコを４列に収容できるようになっており、各列に５本の紙巻きタバコが配置される。図１を参照するとパケットの深さＤは、これに収容される紙巻きタバコの直径のほぼ４倍に等しく、パケット１の幅Ｗは、パケット１に収容される紙巻きタバコの直径のほぼ５倍に等しい。パケット１の長さまたは高さＬは、パケット１に収容される紙巻きタバコの長さにほぼ等しい。例えば長さが８３ｍｍの紙巻きタバコ用のパケット１の寸法は、長さまたは高さＬが８５ｍで、幅Ｗが４１〜４２ｍｍで、深さＤが３２〜３３ｍｍである。
【００３４】
図示した例では蓋部の両端の閉鎖縁部は、これら縁部がパケット１の両端を閉じるために当接するような形状であってもよい。これとは別にこれら縁部は、蓋部の端部が部分的に重なってパケット１の両端を閉じるような形状であってもよい。また容器１にヒンジ３Ｈ、５Ｈによって取り付けられた側面パネル３Ｄ、５Ｄに対向する各蓋部３、５の側部パネル３Ｅ、５Ｅも造形された縁部を含む。図示の例では蓋部の側部パネル３Ｅ、５Ｅは、曲線をなして形成され、パケット１を開く際に掴みやすい輪郭の凹部を有する。側部パネル３Ｅ、５Ｅは、あらゆる好適な形状に形成してもよい。
【００３５】
図１〜５を参照して説明したパケットは、一枚のブランクを折り曲げてパケット１に形成してもよく、またはブランクセットを折り曲げ、組み合わせてパケット１を作製してもよい。
【００３６】
図２および３に示したパケット１を作製するための一組のブランクを図６に、図４および５に示したパケット１を作製するためのブランクセットを図７に例示する。
【００３７】
図６および７に示すブランクセットは、それぞれパケット１を作製するために折り曲げられ、互いに組み合わされる２つの同一のブランクＢＲ、ＢＬと、折り曲げられ、組み立てられたパケット１に挿入してパケット１の容器１１を２つの個別のコンパートメントに分ける仕切り壁ブランクＢＰとを含む。これらのブランクは、その配置を表すためにＢＲ、ＢＬとし、ＢＲは図６および７において右側にあるブランクを示し、ＢＬは図６および７において左側にあるブランクを示す。
【００３８】
図８は図１〜３に例示したような組み立てられたパケット１を形成するために組み合わされる前の部分的に折り曲げられた図６のブランクＢＲ、ＢＬを示している。
【００３９】
ブランクＢＲ、ＢＬをどのように折り曲げ、どのように組み合わせてパケット１を作製するかを以下に説明する。
【００４０】
図６を参照すると右側のブランクＢＲは、蓋部分ＢＲＬと、容器部分ＢＲＣとを含む。蓋部分ＢＲＬは、主パネルＢＲ３Ａと、頂端部パネルＢＲ３Ｂと、底端部パネルＢＲ３Ｃとを含み、これらはそれぞれ主パネルＢＲ３Ａの対向する頂底縁部から延び、さらに２つの対向する側部パネルＢＲ３Ｄ、ＢＲ３Ｅを含む。側部パネルＢＲ３Ｄは、３Ｈによって容器部分ＢＲＣの側部パネルＢＲ２に取り付けられている。もう一方の側部パネルＢＲ３Ｅは、組み立てられたパケットの蓋の閉鎖縁部となる自由縁部を有する。図示した例では側部パネルＢＲ３Ｅの自由縁部は、曲線をなして形成されている。
【００４１】
また蓋部分ＢＲＬは、タブＢＲＴ１、ＢＲＴ２、ＢＲＴ３、ＢＲＴ４を含み、これらはこれらが取り付けられる上述のパネルに対して折り曲げることができる。これらのタブによって蓋を形成するために組み立てられたパケットにおいて隣接するパネルを接合しやすくなる。１つのタブＢＲＴ１は、自由縁部を含む側部パネルＢＲ３Ｅの頂縁部から延び、蓋部３を形成する際にタブＢＲＴ１は蓋頂部パネルＢＲ３Ｂの内側に固定される。別のタブＢＲＴ２は、自由縁部を含む側部パネルＢＲ３Ｅの底縁部から延び、蓋部３を形成する際にタブＢＲＴ２は蓋底部パネルＢＲ３Ｃの内側に固定される。タブＢＲＴ３とタブＢＲＴ４は、それぞれ容器部分ＢＲＣの側部パネルＢＲ２に取り付けられる側部パネルＢＲ３Ｄの頂縁部および底縁部から延びている。蓋３を形成する際、タブＢＲＴ３、ＢＲＴ４は、蓋端部パネルＢＲ３Ｂ、ＢＲ３Ｃに固定される。
【００４２】
容器部分ＢＲＣは、ミシン目ヒンジまたは折り曲げ線によって蓋部ＢＲＬの側部パネルＢＲ３Ｄに取り付けられている１つの側部パネルＢＲ２と、主パネルＢＲ１と、別の側部パネルＢＲ３とを含む。
【００４３】
主パネルＢＲ１にはこれに対して折り曲げ可能な底端部パネルＢＲ４が取り付けられており、これは組み立てられたパケット１の容器１１の底部となる。タブＢＲＴ５が側部パネルＢＲ３に設けられており、これは側部パネルＢＲ３に対して折り曲げ可能であり、組み立てられたパケット１の容器１１の底部を固定するために底端部パネルＢＲ４に取り付けられる。
【００４４】
図６において左側のブランクＢＬは、蓋部ＢＬＬと容器ＢＬＣとを含む。蓋部ＢＬＬには主パネルＢＬ５Ａ、この主パネルＢＬ５Ａの対向する頂縁部と底縁部からそれぞれ延びた頂端部パネルＢＬ５Ｂおよび底端部パネルＢＬ５Ｃ、２つの対向する側部パネルＢＬ５Ｄ、ＢＬ５Ｅが形成されている。一方の側部パネルＢＬ５Ｄは、ヒンジ５Ｈによって容器部ＢＬＣの側部パネルＢＬ２に取り付けられている。もう一方の側部パネルＢＬ５Ｅは、組み立てられたパケットにおいて蓋の閉鎖縁部となる自由縁部を有する。図示した例では側部パネルＢＬ５Ｅの自由縁部は、曲線をなして形成されている。
【００４５】
また蓋部分ＢＬＬは、タブＢＬＴ１、ＢＬＴ２、ＢＬＴ３、ＢＬＴ４を含み、これらはこれらが取り付けられる上述のパネルに対して折り曲げることができ、隣接するパネル同士を接合して組み立てられたパケット１の蓋５を形成する。タブＢＬＴ１とタブＢＬＴ２は、それぞれ自由縁部を含む側部パネルＢＬ５Ｅの頂縁部および底縁部から延びている。蓋５を形成する際、タブＢＬＴ１は、蓋頂部パネルＢＬ５Ｂの内側に固定され、タブＢＬＴ２は、蓋底部パネルＢＬ５Ｃの内側に固定される。タブＢＬＴ３およびタブＢＬＴ４は、それぞれ容器部ＢＬＣにヒンジ５Ｈによって取り付けられる側部パネルＢＬ５Ｄの頂縁部および底縁部から延びている。蓋５を形成する際、タブＢＬＴ３は、蓋頂部パネルＢＬ５Ｂの内側に固定され、タブＢＬＴ４は、蓋底部パネルＢＬ５Ｃの内側に固定される。
【００４６】
ブランクＢＬの容器部ＢＬＣは、蓋部ＢＬＬの側部パネルＢＬ５Ｄにミシン目ヒンジ５Ｈまたは折り曲げ線５Ｈによって取り付けられる１つの側部パネルＢＬ２と、組み立てられたパケット１の容器１１の背面パネル１１Ｂとなる主パネルＢＬ１と、側部パネルＢＬ２に対向する側部パネルＢＬ３とを含む。主パネルＢＬ１には底端部パネルＢＬ４が取り付けられ、これは主パネルに対して折り曲げ可能であり、組み立てられたパケット１の容器１１の底部となる。
【００４７】
タブＢＬＴ５が側部パネルＢＬ３の底縁部に設けられており、パケット１を形成する際、このタブは、側部パネルＢＬ３に対して折り曲げられ、底端部パネルＢＬ４の内側に固定され、組み立てられたパケット１の容器１１の底部を固定する。
【００４８】
両ブランクＢＲ、ＢＬにおいて、蓋部ＢＲＬ、ＢＬＬの頂部パネルＢＲ３Ｂ、ＢＬ５Ｂおよび底部パネルＢＲ３Ｃ、ＢＬ５Ｃは、それぞれ組み立てられたパケットの頂部および底部で封止縁部となる自由縁部を有する。図示したようにこれらの封止縁部は、組み立てられたパケット１を閉じた際に、２つの頂部パネルＢＲ３Ｂ、ＢＬ５Ｂの縁部と２つの底部パネルＢＲ３Ｃ、ＢＬ５Ｃの縁部が合わさったとき、これらの縁部が互いに当接するように相補的な形状を有する。
【００４９】
図６に仕切り壁用のブランクＢＰも示しており、これは図２および３に例示したようなパケット１を形成するためにブランクセットに含まれる。この仕切り壁は、組み立てられたパケット１の容器１１内に挿入され、容器１１を２つのコンパートメントに分ける。
【００５０】
仕切り壁ブランクＢＰは、３つのパネルＢＰ１、ＢＰ２、ＢＰ３を含む。主パネルＢＰ１は、容器部ＢＬＣの主パネルＢＲ１、ＢＬ１と同じ大きさであり、他の２つのパネルＢＰ２、ＢＰ３は、少なくとも容器に収容される全紙巻きタバコの直径と同じ幅を有する。図示した例ではパケット１は、１列に５本の紙巻きタバコを４列収容するのに適しており、仕切り壁ブランクＢＰの側部パネルＢＰ２、ＢＰ３は、それぞれ１本の紙巻きタバコの直径の２倍の幅を有し、これにより仕切り壁は、容器１１を２つの同じ大きさのコンパートメントに分けることができる。
【００５１】
図６のブランクに用いた参照番号を図７に例示するブランクセットにも用いている。
【００５２】
図７を参照すると、右側のブランクＢＲは、蓋部ＢＲＬと容器部ＢＲＣとを含む。蓋部ＢＲＬは、主パネルＢＲ３Ａと、この主パネルＢＲ３Ａの頂縁部および底縁部からそれぞれ延びた頂端部パネルＢＲ３Ｂおよび底端部パネルＢＲ３Ｃと、２つの対向する側部パネルＢＲ３Ｄ、ＢＲ３Ｅとを含む。一方の側部パネルＢＲ３Ｄは、ヒンジ３Ｈによって容器部ＢＲＣの側部パネルＢＲ２に取り付けられ、もう一方の側部パネルＢＲ３Ｅは、組み立てられたパケットの蓋の封止縁部となる自由縁部を有する。図示した例では側部パネルＢＲ３Ｅの自由縁部は、曲線をなして形成されている。
【００５３】
また蓋部ＢＲＬは、タブＢＲＴ１、ＢＲＴ２、ＢＲＴ３、ＢＲＴ４を含み、これらは取り付けられる上述のパネルに対して折り曲げ可能である。これらのタブは、蓋３を形成する際に組み立てられたパケット１において隣接するパネル同士を接合しやすくする。タブＢＲＴ１は、自由縁部を含む側部パネルＢＲ３Ｅの頂縁部から延び、蓋３を形成する際に蓋頂部パネルＢＲ３Ｂの内側に固定される。タブＢＲＴ２は、自由縁部を含む側部パネルＢＲ３Ｅの底縁部から延び、蓋３を形成する際に蓋底部パネルＢＲ３Ｃの内側に固定される。タブＢＲＴ３およびタブＢＲＴ４は、容器部に取り付けられる側部パネルＢＲ３Ｄの頂縁部と底縁部からそれぞれ延びている。蓋３を形成する際、タブＢＲＴ３は蓋頂部パネルＢＲ３Ｂの内側に固定され、タブＢＲＴ４は蓋底部パネルＢＲ３Ｃの内側に固定される。
【００５４】
容器部ＢＲＣは、主パネルＢＲ１と、対向する側部パネルＢＲ２、ＢＲ３とを含み、一方の側部パネルＢＲ２は、ミシン目のヒンジ３Ｈまたは折り曲げ線３Ｈによって蓋部ＢＲＬの側部パネルＢＲ３Ｄに取り付けられる。
【００５５】
底端部パネルＢＲ４および頂端部パネルＢＲ５は、主パネルＢＲ１の底部および頂部にそれぞれ取り付けられている。底端部パネルおよび頂端部パネルは、主パネルＢＲ１に対して折り曲げ可能であり、組み立てられたパケット１の容器１１の底部および頂部にそれぞれなる。タブＢＲＴ６およびタブＢＲＴ５が側部パネルＢＲ３の頂縁部および底縁部にそれぞれ設けられている。パケット１を形成する際、タブＢＲＴ５およびタブＢＲＴ６は、側部パネルＢＲ３に対して９０度折り曲げられ、底端部パネルＢＲ４および頂端部パネルＢＲ５の内側の面にそれぞれ固定され、組み立てられたパケット１の容器１１の底部および頂部となる。
【００５６】
図７において左側のブランクＢＬは、右側のブランクの鏡像となり、蓋部ＢＬＬと容器部ＢＬＣとを含む。蓋部ＢＬＬにおいて主パネルＢＬ５Ａ、この主パネルの対向する頂縁部および底縁部からそれぞれ延びた頂端部パネルＢＬ５Ｂおよび底端部パネルＢＬ５Ｃ、および２つの対向する側部パネルＢＬ５Ｄ、ＢＬ５Ｅが形成されている。一方の側部パネルＢＬ５Ｄは、ヒンジ５Ｈによって容器部ＢＬＣに取り付けられており、もう一方の側部パネルＢＬ５Ｅは、組み立てられたパケットの蓋の閉鎖縁部となる自由縁部を有する。図示した例では側部パネルＢＲ３Ｅの自由縁部は、曲線をなして形成されている。
【００５７】
また蓋部ＢＬＬは、タブＢＬＴ１、ＢＬＴ２、ＢＬＴ３、ＢＬＴ４を含み、これらは上述のパネルに対して折り曲げ可能であり、隣接するパネル同士を接合して組み立てられたパケット１の蓋５を形成する。タブＢＬＴ１およびタブＢＬＴ２は、側部パネルＢＬ５Ｅの頂縁部および底縁部からそれぞれ延びている。パケット１を形成するために折り曲げられる際、タブＢＬＴ１およびタブＢＬＴ２は、側部パネルＢＬ５Ｅに対して９０度折り曲げられ、蓋頂部パネルＢＬ５Ｂおよび蓋底部パネルＢＬ５Ｃの内側の面にそれぞれ固定される。タブＢＬＴ３およびタブＢＬＴ４は、側部パネルＢＬ５Ｄの頂縁部および底縁部からそれぞれ延びている。パケット１を形成するために折り曲げられる際、タブＢＬＴ３およびタブＢＬＴ４は、側部パネルＢＬ５Ｄに対して９０度折り曲げられ、蓋頂部パネルＢＬ５Ｂおよび蓋底部パネルＢＬ５Ｃの内側の面にそれぞれ固定される。
【００５８】
ブランクＢＬの容器部ＢＬＣは、主パネルＢＬ１および対向する側部パネルＢＬ２、ＢＬ３とを含み、１つの側部パネルＢＬ２は、ミシン目ヒンジまたは折り曲げ線５Ｈによって蓋部ＢＬＬの側部パネルＢＬ５Ｄに取り付けられる。
【００５９】
底端部パネルＢＬ４および頂端部パネルＢＬ５は、それぞれ主パネルＢＬ１の底部および頂部に取り付けられる。底端部パネルＢＬ４および頂端部パネルＢＬ５は、主パネルＢＬ１に対して折り曲げ可能であり、それぞれ組み立てられたパケット１の容器１１の底部および頂部になる。タブＢＬＴ６およびタブＢＬＴ５がそれぞれ側部パネルＢＬ３の頂縁部および底縁部に設けられている。パケット１を形成する際、タブＢＬＴ５およびタブＢＬＴ６は、側部パネルＢＬ３に対して９０度折り曲げられ、底端部パネルＢＬ４および頂端部パネルＢＬ５の内側の面にそれぞれ固定され、組み立てられたパケット１の容器１１の底部および頂部になる。
【００６０】
両ブランクＢＲ、ＢＬにおいて蓋部ＢＲＬの頂部パネルＢＲ３Ｂ、ＢＬ５Ｂおよび底部パネルＢＲ３Ｃ、ＢＬ５Ｃは、組み立てられたパケットの頂部および底部で封止縁部となる自由縁部を有する。例示したようにこれらの封止縁部は、組み立てられたパケット１を閉じる際に２つの頂部パネルＢＲ３Ｂ、ＢＬ５Ｂの縁部と２つの底部パネルＢＲ３Ｃ、ＢＬ５Ｃの縁部が合わさったとき、これらの縁部が互いに当接するように相補的な形状を有する。
【００６１】
図７において右側のブランクＢＲおよび左側のブランクＢＬは、それぞれブランクのミシン目からなる破断線によって形成された開口部分ＲＰを含む。開口部分ＲＰは、主パネルＲＰ１、頂部パネルＲＰ２、底部パネルＲＰ３によって形成されている。主パネルＲＰ１は、容器部ＢＲＣ、ＢＬＣの主パネルＢＲ１、ＢＬ１に形成されている。開口部分ＲＰの頂部パネルＲＰ２および開口部分ＲＰの底部パネルＲＰ３は、容器部ＢＬＣ、ＢＲＣの頂部パネルＢＲ５および容器部ＢＬＣ、ＢＲＣの底部パネルＢＲ４にそれぞれ形成されている。
【００６２】
また図７に示すブランクセットは、組み立てられたパケット１の容器１１を２つの同じ大きさのコンパートメントに分けるように構成された仕切り壁ＢＰをも含む。この仕切り壁ブランクＢＰは、３つのパネルＢＰ１、ＢＰ２、ＢＰ３を含む。主パネルＢＰ１は、容器部ＢＬＣ、ＢＲＣの主パネルＢＲ１、ＢＬ１と同じ大きさを有し、残りの２つのパネルＢＰ２、ＢＰ３は、主パネルＢＰ１の頂縁部および底縁部に形成されている。この態様では仕切り壁ＢＰのパネルＢＰ２、ＢＰ３は、それぞれ容器部ＢＬＣ、ＢＲＣの頂部パネルＢＬ５、ＢＲ５および底部パネルＢＬ４、ＢＲ４と同じ大きさおよび幅を有する。
【００６３】
組み立てられたパケットにおいて仕切り壁ブランクＢＰの端部パネルＢＰ２、ＢＰ３は、容器部ＢＲＣ、ＢＬＣの頂部パネルＢＲ５、ＢＬ５および底部パネルＢＲ４、ＢＬ４にそれぞれ一致する。図示の例では端部パネルＢＰ２、ＢＰ３は、それぞれ部分ＲＰの頂部および底部ＲＰ２、ＲＰ３と形状が対応する切り欠き部を含む。
【００６４】
図８は２つの半分組み立てられたパケット１Ａ、１Ｂを含む部分的に組み立てられたパケットの斜視図であり、半分組み立てられた各パケット１Ａ、１Ｂは、図６に示したブランクセットを用いて作製されたものである。
【００６５】
半分組み立てられたパケット１Ａを作製するために右側ブランクＢＲを折り曲げる方法は、次の工程からなる、
ａ）蓋頂部パネルＢＲ３Ｂ、蓋底部パネルＢＲ３Ｃ、容器部ＢＲＣの底端部パネルＢＲ４およびタブＢＲＴ１、ＢＲＴ２、ＢＲＴ３、ＢＲＴ４、ＢＲＴ５を９０度折り曲げ、それらが取り付けられているパネルから直立させる、
ｂ）既に折り曲げられたタブＢＲＴ１、ＢＲＴ２がそれぞれ蓋頂部パネルＢＲ３Ｂおよび蓋底部パネルＢＲ３Ｃと接触するように案内されることを確認しながら、蓋側部パネルＢＲ３Ｅを蓋主パネルＢＲ３Ａに対して９０度折り曲げる、
ｃ）タブＢＲＴ３、ＢＲＴ４がそれぞれ蓋頂部パネルＢＲ３Ｂおよび蓋底部パネルＢＲ３Ｃと接触するように案内されることを確認しながら、蓋主パネルＢＲ３Ａを蓋側部パネルＢＲ３Ｄに対して９０度折り曲げる、
ｄ）タブＢＲＴ５が容器部ＢＲＣの底部パネルＢＲ４の内側の面と接触するように容器部ＢＲＣの側部パネルＢＲ３を容器部ＢＲＣの主パネルＢＲ１に対して９０度折り曲げる、
ｅ）側部パネルＢＲ３が蓋側部パネルＢＲ３Ｅの内側の面と接触するように主パネルＢＲ１をもう一方の側部パネルＢＲ２に対して９０度折り曲げる、
ｆ）図６の右側ブランクＢＲの折り曲げ工程ａ）からｅ）を繰り返して、左側ブランクＢＬを折り曲げ、部分的に組み立てられたパケット１の２番目の半分組み立てられたパケット１Ｂを形成する、
ｇ）最初に各パケットの蓋部ＢＲＬ、ＢＬＬを９０度回転させて、容器部ＢＲＣ、ＢＬＣを開いて２つの半分組み立てられたパケット１Ａ、１Ｂを組み合わせる、
ｈ）蓋ＢＲＬが取り付けられている第１の半分組み立てられたパケット１Ａの側部パネルＢＲ２が二番面の半分組み立てられたパケット１Ｂの側部パネルＢＬ３と重なり、蓋ＢＬＬが取り付けられている２番目の半分組み立てられたパケット１Ｂの側部パネルＢＬ２が最初の半分組み立てられたパケット１Ａの側部パネルＢＲ３と重なるように２つの半分組み立てられたパケット１Ａ、１Ｂを共に移動する。２つの半分組み立てられたパケット１Ａ、１Ｂを組み合わせる際、２つの底部パネルＢＲ４、ＢＬ４は、実質的に縁部が当接するように合わせられ、組み立てられたパケット１の容器１１の底部を形成する、
ｉ）仕切り壁ブランクＢＰの側部パネルＢＰ２、ＢＰ３の両方を主パネルＢＰ１に対して９０度折り曲げ、折り曲げ形成された仕切り壁１１Ｐを開口頂端部を介して摺動させて容器１１に挿入して、容器１１を２つの同じ大きさのコンパートメントに分ける、
ｊ）両方の蓋３、５を回転させてパケット１を閉じる。
【００６６】
パケットの内容物は、工程ａ）でブランク上に載せてもよく、ブランクを内容物の周りに折りたたむことができる。これとは別に半分組み立てられたパケット１Ａ、１Ｂが組み合わされる工程ｈ）の前に半分組み立てられたパケット１Ａ、１Ｂの各容器部ＢＲＣ、ＢＬＣに内容物を入れてもよい。またこれとは別に蓋を回転させてパケット１を閉じる工程ｊ）の前に開口した頂端部を介して内容物を挿入してもよい。
【００６７】
図１、４および５に示した組み立てられたパケット１を形成するために図７に示したブランクセットを折り曲げ、組み立てる方法の一例を挙げると、次のようになる、
ａ）蓋頂部パネルＢＲ３Ｂ、蓋底部パネルＢＲ３Ｃ、頂部パネルＢＲ５および底部パネルＢＲ４およびタブＢＲＴ１、ＢＲＴ２、ＢＲＴ３、ＢＲＴ４、ＢＲＴ５、ＢＲＴ６を９０度折り曲げ、それらが取り付けられているパネルから直立させる、
ｂ）タブＢＲＴ１、ＢＲＴ２をそれぞれ蓋頂部パネルＢＲ３Ｂおよび蓋底部パネルＢＲ３Ｃの内側の面と接触するように案内しながら、蓋側部パネルＢＲ３Ｅを蓋主パネルＢＲ３Ａに対して９０度折り曲げる、
ｃ）タブＢＲＴ３、ＢＲＴ４をそれぞれ蓋頂部パネルＢＲ３Ｂおよび蓋底部パネルＢＲ３Ｃの内側の面と接触するように案内しながら、蓋主パネルＢＲ３Ａを蓋側部パネルＢＲ３Ｄに対して９０度折り曲げる、
ｄ）タブＢＲＴ５が容器部ＢＲＣの底部パネルＢＲ４の内側の面と接触するように、そしてタブＢＲＴ６が容器部ＢＲＣの頂部パネルＢＲ５の内側の面と接触するように容器部ＢＲＣの側部パネルＢＲ３を容器部ＢＲＣの主パネルＢＲ１に対して９０度折り曲げる、
ｅ）側部パネルＢＲ３が蓋側部パネルＢＲ３Ｅの内側の面と接触するように蓋部ＢＲＬが取り付けられた側部パネルＢＲ２に対して容器部ＢＲＣの主パネルＢＲ１を９０度折り曲げる、
ｆ）図７の右側ブランクＢＲの折り曲げ工程ａ）からｅ）を繰り返して、左側ブランクＢＬを折り曲げ、部分的に組み立てられたパケット１の２番目の半分組み立てられたパケット１Ｂを形成する、
ｇ）最初に各パケットの蓋部ＢＲＬ、ＢＬＬを９０度回転させて、容器部ＢＲＣ、ＢＬＣを開いて２つの半分組み立てられたパケット１Ａ、１Ｂを組み合わせる、
ｈ）仕切り壁ブランクＢＰの側部パネルＢＰ２、ＢＰ３の両方を主パネルＢＰ１に対して９０度折り曲げ、各半分組み立てられたパケット１Ａ、１Ｂの容器部ＢＲＣ、ＢＬＣの前面および背面パネルに対向する開口部内に仕切り壁１１Ｐを摺動させて半分組み立てられたパケット１Ａ、１Ｂの１つの容器部ＢＲＣ、ＢＬＣ内に仕切り壁を挿入する、
ｉ）蓋ＢＲＬが取り付けられている第１の半分組み立てられたパケット１Ａの側部パネルＢＲ２が２番目の半分組み立てられたパケット１Ｂの側部パネルＢＬ３と重なり、蓋ＢＬＬが取り付けられている２番目の半分組み立てられたパケット１Ｂの側部パネルＢＬ２が最初の半分組み立てられたパケット１Ａの側部パネルＢＲ３と重なるように２つの半分組み立てられたパケット１Ａ、１Ｂを共に移動する。２つの半分組み立てられたパケット１Ａ、１Ｂを組み合わせる際、２つの底部パネルＢＲ４、ＢＬ４は、実質的に縁部が当接するように合わせられ、組み立てられたパケット１の容器１１の底部を形成する、
ｊ）両方の蓋３、５を回転させてパケット１を閉じる
【００６８】
図７に示したブランクセットを折り曲げ、組み合わせる際、容器１１は完全に閉じている。従って、半分組み立てられたパケット１Ａ、１Ｂを組み立てる間、内容物と仕切り壁は、２つの半分組み立てられたパケット１Ａ、１Ｂを組み合わせる前の組み立て工程中に挿入される。
【００６９】
ここで説明したパケット、例えば図１に示したようなパケットは、従来のヒンジ蓋つきパケットより断面が方形に近いことが判る。これはパケットの剛性を高め、梱包された製品を守ることになる。またブランクを作製するために必要な板紙の量を減らすことにもなる。さらに図１の蓋の構成により蓋とパックの胴体部間の干渉に係るあらゆる問題（従来の蓋の機構をより厚みのあるパケット構造に用いた場合に起こりえる）を避けることができる。
【００７０】
最後に、種々の態様をここで説明してきたが、これらはあくまで例示を目的としたものであり、このような種々の態様に関し多くの変形および変更が、当業者には自明であり添付の特許請求の範囲およびその同等のものによって定義される本発明の範囲内に包含される。
【図１】
2010534595.tif 000003
【図２】
2010534595.tif 000004
【図３】
2010534595.tif 000005
【図４】
2010534595.tif 000006
【図５】
2010534595.tif 000007
【図６】
2010534595.tif 000008
【図７】
2010534595.tif 000009
【図８】
2010534595.tif 000010
【国際調査報告】
2010534595.tif 000011
2010534595.tif 000012
2010534595.tif 000013
2010534595.tif 000014
2010534595.tif 000015